(57)【要約】【課題】立体画像を撮影する立体カメラに装着される２つのレンズ装置の組み合わせを選択する際に、適性が高い組み合わせを容易に確認することができるレンズ選択支援装置を提供する。【解決手段】レンズ選択支援装置は、レンズ装置を認識する認識手段と、認識手段によって認識されたレンズ装置と諸元が近い少なくとも１つ候補レンズ装置がある場合、候補レンズ装置に関する情報を抽出する処理部と、処理部が候補レンズ装置に関する情報を抽出するときに参照する参照用データを記憶する記憶部と、抽出された候補レンズ装置に関する情報を表示する表示手段と、を備える。【選択図】図３
2012198333.tif 000002
【特許請求の範囲】
【請求項１】
立体画像を撮影する立体カメラに装着される２つのレンズ装置の組み合わせを選択するためのレンズ選択支援装置であって、
レンズ装置を認識する認識手段と、
前記認識手段によって認識された前記レンズ装置と諸元が近い少なくとも１つ候補レンズ装置がある場合、前記候補レンズ装置に関する情報を抽出する処理部と、
前記処理部が前記候補レンズ装置に関する情報を抽出するときに参照する参照用データを記憶する記憶部と、
抽出された前記候補レンズ装置に関する情報を表示する表示手段と、を備えるレンズ選択支援装置。
【請求項２】
請求項１に記載のレンズ選択支援装置であって、
前記処理部は、前記レンズ装置と前記候補レンズ装置との諸元の重複範囲を演算し、該諸元の重複範囲を前記表示手段に表示させるレンズ選択支援装置。
【請求項３】
請求項２に記載のレンズ選択支援装置であって、
前記表示手段は、前記諸元の重複範囲をグラフで表示する表示部を含むレンズ選択支援装置。
【請求項４】
請求項１から３のいずれか１項に記載のレンズ選択支援装置であって、
前記表示手段は、前記レンズ装置に基づいて以前に抽出された前記候補レンズ装置に関する情報を含む履歴情報を表示するレンズ選択支援装置。
【請求項５】
請求項１から４のいずれか１項に記載のレンズ選択支援装置であって、
前記認識手段は、前記レンズ装置と通信可能に接続する接続部であるレンズ選択支援装置。
【請求項６】
請求項１から５のいずれか１項に記載のレンズ選択支援装置であって、
前記認識手段は、ユーザが前記レンズ装置に関する情報を入力するための入力部であるレンズ選択支援装置。
【請求項７】
請求項１から６のいずれか１項に記載のレンズ選択支援装置であって、
前記諸元は、被写体距離、焦点距離、Ｆ値の少なくとも１つを含むレンズ選択支援装置。
【発明の詳細な説明】
【技術分野】
【０００１】
本発明は、立体画像を撮影する立体カメラに装着される２つのレンズ装置を選択するためのレンズ選択支援装置に関する。
【背景技術】
【０００２】
従来、２台のテレビカメラを並列に配置して、右目用と左目用の視差画像を撮影することにより、立体画像を取得する立体カメラが開発されている。このような立体カメラに使用される２台のレンズ装置は、フォーカス、ズーム（焦点距離）、絞りなど制御対象の状態（位置）によって変化する撮影条件が常に一致するように同時に駆動されるようになっている。
【０００３】
２台のレンズ装置の撮影条件が同一になるように制御する立体カメラ用のレンズ制御装置としては、特許文献１に示すものがある。特許文献１に記載された立体カメラ用のレンズシステムは、完全に同一の仕様である右目用のレンズと左目用各レンズを備え、立体撮像時に右目用のレンズ装置及び左目用のレンズ装置のそれぞれの画角を略同一にするように制御を行っている。
【先行技術文献】
【特許文献】
【０００４】
【特許文献１】特開２００６−１３９０１５号公報
【発明の概要】
【発明が解決しようとする課題】
【０００５】
諸元の異なる２つのレンズ装置を用いて立体撮像を行うには、撮影条件が同一になるように各レンズ装置を制御する必要がある。このような制御を行う際に、２つのレンズ装置のそれぞれの諸元が全く異なると、各レンズ装置の撮影条件を同一にすることができないため、良好な立体画像を得ることができない。しかし、ユーザは、任意の２つのレンズ装置を用いて立体撮像を行うときに、これら２つのレンズ装置が立体撮像用として適した組み合わせであるかどうか判断することができない。
【０００６】
本発明は、立体画像を撮影する立体カメラに装着される２つのレンズ装置の組み合わせを選択する際に、適性が高い組み合わせを容易に確認することができるレンズ選択支援装置を提供することにある。
【課題を解決するための手段】
【０００７】
本発明は、立体画像を撮影する立体カメラに装着される２つのレンズ装置の組み合わせを選択するためのレンズ選択支援装置であって、
レンズ装置を認識する認識手段と、
前記認識手段によって認識された前記レンズ装置と諸元が近い少なくとも１つ候補レンズ装置がある場合、前記候補レンズ装置に関する情報を抽出する処理部と、
前記処理部が前記候補レンズ装置に関する情報を抽出するときに参照する参照用データを記憶する記憶部と、
抽出された前記候補レンズ装置に関する情報を表示する表示手段と、を備える。
【発明の効果】
【０００８】
本発明によれば、立体画像を撮影する立体カメラに装着される２つのレンズ装置として適性が高い組み合わせを、容易に選択することができるレンズ選択支援装置を提供できる。
【図面の簡単な説明】
【０００９】
【図１】立体カメラ用のレンズシステムを備えるカメラシステムの全体構成を示すブロック図
【図２】レンズ選択支援装置を説明するためのレンズ選択支援システムの全体構成を示すブロック図
【図３】図２に示すレンズ選択支援システムにおける、レンズ装置とレンズ選択支援装置の構成を示すブロック図
【図４】レンズ装置と諸元が近い候補レンズ装置に関する情報を抽出して表示する手順を示すフローチャート
【図５】候補レンズ装置に関する情報を表示部に表示させたときの表示画面の一例を示す図
【図６】レンズ装置と候補レンズ装置との諸元の重複範囲を表示する手順を示すフローチャート
【図７】レンズ装置と候補レンズ装置の諸元である焦点距離の重複範囲を説明する図
【図８】図６に示す手順の変形例を示すフローチャート
【発明を実施するための形態】
【００１０】
以下、図面を参照して、本発明のレンズ選択支援装置の実施の形態を説明する。
【００１１】
図１は、立体カメラ用のレンズシステムを説明するためのカメラシステムの全体構成を示すブロック図である。
【００１２】
図１に示すように、カメラシステム１は、カメラ本体１００Ａ，１００Ｂと、立体カメラ用のレンズシステム１０とを含んで構成される。カメラシステム１は、立体画像の撮影に用いられるものである。
【００１３】
レンズシステム１０は、２台のレンズ装置１０Ａ及びレンズ装置１０Ｂを含んでいる。レンズ装置１０Ａは、カメラ本体１００Ａに装着され、レンズ装置１０Ｂは、カメラ本体１００Ｂに装着される。例えば、レンズ装置１０Ａは左目の映像の撮影用として使用され、レンズ装置１０Ｂは右目の映像の撮影用として使用される。
【００１４】
レンズシステム１０において、レンズ装置１０Ａ及びレンズ装置１０Ｂは接続ケーブル２を用いて互いに接続されている。
【００１５】
カメラ本体１００Ａには、撮像素子（例えばＣＣＤ撮像素子）や所要の信号処理回路等が搭載されており、レンズ装置１０Ａにより結像された像は、撮像素子により光電変換された後、信号処理回路によって所要の信号処理が施されてＨＤＴＶ方式の映像信号（ＨＤＴＶ信号）として、カメラ本体１００Ａの映像信号出力端子等から外部に出力される。カメラ本体１００Ｂの構成についてはカメラ本体１００Ａと同一として説明を省略する。
【００１６】
レンズ装置１０Ａ及びレンズ装置１０Ｂはいずれも、光学系（撮影レンズ）と制御系（制御部）とから構成される。レンズ装置１０Ａ及びレンズ装置１０Ｂは、光学系及び制御系のいずれについても同一の構成である。以下において、レンズ装置１０Ａをレンズ選択支援システムに接続する例について説明する。
【００１７】
図２は、レンズ選択支援装置を説明するためのレンズ選択支援システムの全体構成を示すブロック図である。
【００１８】
レンズ選択支援システム５００は、レンズ装置１０Ａと、レンズ選択支援装置５０とを含む。
【００１９】
レンズ装置１０Ａは、通信手段として機能する接続ケーブル１２を用いてレンズ選択支援装置５０に接続される。なお、レンズ装置１０Ａは、カメラ本体１００Ａに装着されていない状態でもよい。
【００２０】
レンズ選択支援装置５０は、接続ケーブル１２によって接続されたレンズ装置１０Ａを認識し、該レンズ装置１０Ａと諸元が近い少なくとも１つ候補レンズ装置を選択する作業を支援するための装置である。レンズ選択支援装置５０としては、例えばパーソナルコンピュータ（ＰＣ）を用いることができる。
【００２１】
図３は、図２に示すレンズ選択支援システムにおける、レンズ装置とレンズ選択支援装置の要部構成を示したブロック図である。
【００２２】
最初に、レンズ装置１０Ａの構成を説明する。レンズ装置１０Ａの光学系（撮影レンズ）には、鏡胴内部においてフォーカスレンズ群ＦＬ、ズームレンズ群ＺＬ、絞りＩＲ、マスターレンズ群（図示せず）等の光学部品が配置されている。フォーカスレンズ群ＦＬやズームレンズ群ＺＬは光軸に沿って前後移動可能に配置されており、フォーカスレンズ群ＦＬの位置を調整することによってフォーカス調整（被写体距離の調整）が行われ、ズームレンズ群ＺＬの位置を調整することによってズーム調整（焦点距離の調整）が行われる。また、絞りＩＲの位置（開口度）を調整することによって光量調整が行われる。撮影レンズに入射してこれらのレンズ群等を通過した被写体光は、図１に示したカメラ本体１００Ａに配置された撮像素子の撮像面に結像される。
【００２３】
レンズ装置１０Ａの制御系には、制御系全体を統括するＣＰＵ３０と、フォーカスレンズ群ＦＬの位置を調整するための駆動力を供給するフォーカスレンズ駆動部３２Ｆと、ズームレンズ群ＺＬの位置を調整するための駆動力を供給するズームレンズ駆動部３２Ｚと、絞りＩＲの位置を調整するための駆動力を供給する絞り駆動部３２Ｉが配置されている。各駆動部には、図示しないが、駆動モータと、該駆動モータに駆動電力を供給するアンプとが設けられている。
【００２４】
レンズ装置１０Ａには、接続ケーブル１２が接続される接続部４２と、記憶部４４とが設けられている。
【００２５】
接続部４２は、レンズ選択支援装置５０に接続するための接続ケーブル１２が接続されるインターフェースであって、ＲＳ−２３２等のシリアル通信方式を採用することができる。なお、接続部４２は、他の外部装置と接続するための通信ケーブルが接続可能であってもよい。
【００２６】
記憶部４４は、レンズ装置１０Ａに固有の識別データ（型名やＩＤを含むデータ）とレンズ装置１０Ａ自体の諸元を示す諸元データを記憶する。記憶部４４には、撮影時にレンズ装置１０Ａを制御するために必要となる所定の設定情報や、立体画像の撮像時又は再生時に使用する補正データなどが記憶されていてもよい。記憶部４４は、ＣＰＵ３０の制御によって、記憶されているデータが読み出される。
【００２７】
また、レンズ装置１０Ａの制御系には、フォーカスレンズ群ＦＬに連結されたエンコーダ３４Ｆと、ズームレンズレンズ群ＺＬに連結されたエンコーダ３４Ｚが配置されている。
【００２８】
フォーカスレンズ群ＦＬ、ズームレンズ群ＺＬ及び絞りＩＲは、ＣＰＵ３０からの制御信号に基づいてフォーカスレンズ駆動部３２Ｆ、ズームレンズ駆動部３２Ｚ、絞り駆動部３２Ｉが駆動し、目標とする撮影条件に従った状態に制御されるようになっている。
【００２９】
なお、図３には示さないが、レンズ装置１０Ａの鏡筒にドライブユニットが装着されていてもよい。ドライブユニットにＣＰＵ３０等を含む制御系のうちその一部又は全部が設けられていてもよい。ドライブユニットには、ユーザがマニュアルで操作を行う際に使用する画角操作部、フォーカス制御部などが設けられていてもよい。
【００３０】
画角操作部は、テレ（Ｔ）側又はワイド（Ｗ）側に操作されると、ズームリング１６をテレ側又はワイド側に回動し、ズームレンズ群ＺＬの位置を調整することによって、ズーム調整するためのスイッチである。
【００３１】
フォーカス操作部は、操作することによりフォーカスリング１４を回動し、フォーカスレンズ群ＦＬの位置を調整することによって、フォーカス調整するスイッチである。
【００３２】
また、ドライブユニットには、図示しないオート／マニュアルスイッチが設けられ、アイリス絞り径をマニュアル調整又は自動調整できるようになっていてもよい。
【００３３】
レンズ装置１０Ａは、立体画像の撮影を行わない場合には、レンズ装置１０Ｂと無線通信を行わない状態に設定され、カメラ本体１００Ａに装着されることで、ビデオカメラのレンズ装置として単体で使用することができる。
【００３４】
次に、レンズ選択支援装置５０の構成について説明する。レンズ選択支援装置５０は、接続部５２と、記憶部５４と、表示部５６と、入力部５８と、レンズ選択支援装置５０全体を統括制御するＣＰＵ６０とを含んで構成されている。
【００３５】
接続部５２は、レンズ装置１０Ａと接続するための接続ケーブル１２が接続されるインターフェースであって、ＲＳ−２３２等のシリアル通信方式を採用することができる。なお、接続部５２は、他の外部装置と接続するための通信ケーブルが接続可能であってもよい。
【００３６】
記憶部５４は、レンズ装置１０Ａを接続した際に使用する参照用データが予め記憶されている。参照用データは、製品として提供されている全てのレンズ装置又はその一部のレンズ装置のそれぞれの型名と、これら型名に識別されるレンズ装置の諸元とが関連付けられたテーブルを含む。以下、このテーブルをデータテーブルともいう。参照用データは、レンズ装置１０Ａをレンズ選択支援装置５０や他のＰＣ等の外部装置と接続することで予め記憶部５４に記憶されたデータであってもよい。または、参照用データが記録された図示しない記録媒体をレンズ選択支援装置５０に接続することによって該記録媒体から記録部５４に書き込まれたものであってもよい。
【００３７】
ここで、参照用データに示されるレンズ装置の諸元とは、各レンズ装置の構成や仕様によって予め設定されているものであって、例えば、レンズ装置１０Ａを運用することが可能な焦点距離の範囲、被写体距離の範囲、Ｆ値（レンズの明るさを示す値であり、Ｆナンバーともいう。）である。参照用データに示されるレンズ装置の諸元には、Ｆドロップ量（ワイド側でＦ値が低下する、所謂、Ｆドロップが生じるとき、そのＦ値の低下量）を含んでいてもよい。以下では、レンズ装置の諸元として焦点距離と被写体距離とＦナンバーを用いた場合について説明する。
【００３８】
表示部５６は、ＣＰＵ６０の制御によって、後述するように、レンズ装置１０Ａと諸元の近い候補レンズ装置に関する情報や、レンズ装置１０Ａと候補レンズ装置との諸元の重複範囲を表示する。また、表示部５６には、レンズ選択支援装置５０の動作や制御の内容が適宜表示されてもよい。表示部２４は、例えば、ＬＣＤを採用することができる。
【００３９】
入力部５８は、ユーザの操作によって、所望の操作指示を示す信号をレンズ選択支援装置５０に直接入力するものである。入力部５８は、例えば、キーボード、スイッチ、操作ボタンである。
【００４０】
ＣＰＵ６０は、接続部５２に接続されたレンズ装置１０Ａと通信を行う際に、データの送信や受信を制御する。また、ＣＰＵ６０は、表示部５６の表示を制御する。
【００４１】
レンズ選択支援装置５０のＣＰＵ６０は、レンズ装置１０Ａが接続ケーブル１２で接続されたとき、接続されたレンズ装置１０Ａと諸元の近い少なくとも１つの候補レンズ装置がある場合、候補レンズ装置に関する情報を表示する選択支援モードを実行する。
【００４２】
図４は、レンズ装置と諸元が近い候補レンズ装置に関する情報を抽出して表示する手順を示したフローチャートである。
【００４３】
レンズ選択支援装置５０にレンズ装置１０Ａが接続された状態で、レンズ選択支援装置５０において選択支援モードが選択されると、ＣＰＵ６０は、レンズ装置１０Ａと通信を開始する（ステップＳ１０）。そして、ステップＳ１２の処理手順へ進む。
【００４４】
ステップＳ１２において、レンズ選択支援装置５０のＣＰＵ６０は、接続先であるレンズ装置１０Ａの記憶部４４から該レンズ装置１０Ａの諸元データを抽出する。その後、ステップＳ１４の処理手順に進む。
【００４５】
ステップＳ１４において、ＣＰＵ６０は、記憶部５４に記憶されている参照用データを参照し、接続されたレンズ装置１０Ａの諸元と近い諸元を有する１つ又は複数の候補レンズ装置を検出し、この候補レンズ装置に関する情報を抽出する。レンズ装置１０Ａの諸元と近い諸元を有する候補レンズ装置とは、レンズ装置１０Ａの被写体距離、焦点距離、Ｆナンバーのうち少なくとも一つを比較したときに、諸元が一致する又は、諸元の差が所定値以下であるレンズ装置である。また、抽出する候補レンズ装置に関する情報とは、候補レンズ装置の型名、識別情報（ＩＤ）、被写体距離、焦点距離、Ｆナンバーを含む。その後、ステップＳ１６の処理手順に進む。
【００４６】
ステップＳ１６において、ＣＰＵ６０は、抽出した候補レンズ装置に関する情報を、表示部５６に表示させる制御を実行する。
【００４７】
図５は、候補レンズ装置に関する情報を表示部５６に表示させたときの表示画面の一例を示している。図５に示すように、表示部５６の表示画面３００には、接続されているレンズ装置１０Ａの型名と、候補レンズ装置（図５では、レンズ装置Ａ，Ｂ，Ｃ）の型名がそれぞれ表示される。また、表示画面には、レンズ装置１０Ａと候補レンズ装置Ａ，Ｂ，Ｃそれぞれの焦点距離の範囲を矢印で示すグラフが表示される。
なお、図５では、焦点距離を示すグラフを例に説明したが、被写体距離やＦナンバーも同様に表示される。
【００４８】
図４のフローチャートに示す手順の説明に戻って、ステップＳ１６において、表示部５６で候補レンズ装置に関する情報を表示させた後、ＣＰＵ６０は、レンズ装置１０Ａとの通信を終了する（ステップＳ１８）。
【００４９】
なお、ＣＰＵ６０は、複数の候補レンズ装置を検出した場合、レンズ装置１０Ａと諸元が近いものから順位を付けて表示部５６に表示させる制御を行ってもよい。ＣＰＵ６０は、候補レンズ装置を１つも検出できなかった場合、候補レンズ装置が検出できなかった旨を表示部５６に表示させる制御を行ってもよい。
【００５０】
レンズ選択支援装置５０によれば、ユーザは、立体カメラに用いる２つのレンズ装置の組み合わせを選択する際に、１つのレンズ装置が持っていれば、そのレンズ装置と諸元の近いレンズ装置がどれであるかを確認することができる。
【００５１】
また、ユーザは、同一の諸元の２つのレンズ装置を所有している必要がない。例えば、ユーザは、予め１つのレンズ装置を所有している場合に、所有しているレンズ装置をレンズ選択支援装置５０に接続して選択支援モードを実行することで、所有しているレンズ装置と組み合わせたときに立体画像の撮影に適性の高い候補レンズ装置を、容易に選択することができる。
【００５２】
更に、ユーザは、２つのレンズ装置の組み合わせを選択する際に、各レンズ装置をカメラ本体に取り付ける作業や、実際に立体画像の撮影を行ったうえで立体画像を再生して確認する作業を行う必要がない。
【００５３】
レンズ選択支援装置５０は、表示部５６に候補レンズ装置に関する情報を表示する際に、接続されたレンズ装置１０Ａと候補レンズ装置との諸元の重複範囲を表示させることができる。
【００５４】
図６は、レンズ装置と候補レンズ装置との諸元の重複範囲を表示する手順を示すフローチャートである。図６に示すフローチャートに示すステップＳ１０からステップＳ１４の手順は、図４に示したステップＳ１０からステップＳ１４の手順と同じであるため、説明を省略する。
【００５５】
上述したようにステップＳ１０からステップＳ１４の手順を実行した後、ＣＰＵ６０は、ステップＳ１４で抽出した候補レンズ装置に関する情報に基づいて、接続されたレンズ装置１０Ａと候補レンズ装置の諸元の重複範囲を演算する（ステップＳ２２）。その後、ステップＳ２４の処理手順に進む。
【００５６】
ここで、諸元の重複範囲について説明する。図７は、レンズ装置と候補レンズ装置の諸元である焦点距離の重複範囲を説明する図である。図７に示す例では、レンズ装置の焦点距離と候補レンズ装置Ａの焦点距離とが一部の範囲で重複している状態を示している。
【００５７】
図７において、レンズ装置１０Ａの諸元の焦点距離を４０ｍｍ〜１００ｍｍの範囲とし、候補レンズ装置Ａの諸元の焦点距離を６０ｍｍ〜１２０ｍｍの範囲とした場合、レンズ装置１０Ａと候補レンズ装置Ａの焦点距離の重複範囲が６０ｍｍ〜１００ｍｍとなる。
【００５８】
レンズ装置１０Ａの諸元の焦点距離を５０ｍｍ〜１００ｍｍの範囲とし、候補レンズ装置Ａの諸元の焦点距離を５０ｍｍ〜１００ｍｍの範囲とした場合、レンズ装置１０Ａと候補レンズ装置Ａの焦点距離は完全に一致しており、重複範囲が５０ｍｍ〜１００ｍｍとなる。
【００５９】
被写体距離の重複範囲やＦナンバーの重複範囲についても、上述した焦点距離の重複範囲と同様である。
【００６０】
図６のフローチャートの処理手順の説明に戻り、ステップＳ２４において、ＣＰＵ６０は、焦点距離の重複範囲、被写体距離の重複範囲、Ｆナンバーの重複範囲うち重複範囲が存在する諸元について、表示部５６にその諸元の重複範囲を表示する制御を実行する。その後、ステップＳ２６の処理手順へ進み、ＣＰＵ６０は、レンズ装置１０Ａとの通信を終了する。
【００６１】
ステップＳ２４において、ＣＰＵ６０は、重複範囲が存在しない又は重複範囲が狭い諸元については、その旨を表示部５６に表示してもよい。例えば、ＣＰＵ６０は、焦点距離、被写体距離、Ｆナンバーのうち重複範囲が存在しない諸元、又は、重複範囲が所定の閾値より小さい諸元について、表示部５６にその諸元の重複範囲が存在しない又は重複範囲が狭いことを通知するためのグラフやメッセージを表示部５６に表示してもよい。
【００６２】
こうすれば、ユーザは、表示部２４に表示された諸元の重複範囲によって、接続されたレンズ装置１０Ａと候補レンズ装置Ａの組み合わせがどの程度適性が高いかを確認することができる。
【００６３】
レンズ選択支援装置は、以下に図８に基づいて説明する手順のように、焦点距離、被写体距離、Ｆナンバーのうち、ユーザが重視する諸元、又は重視する諸元として設定されたものを基準として候補レンズ装置に関する情報を表示してもよい。
【００６４】
図８は、図６に示す手順の変形例を示すフローチャートである。図８に示すフローチャートに示すステップＳ１０からステップＳ１４の手順は、図４に示したステップＳ１０からステップＳ１４の手順と同じであるため、説明を省略する。
上述したようにステップＳ１０からステップＳ１４の手順を実行した後、ＣＰＵ６０は、被写体距離を重視する設定であるか否か判断する（ステップＳ４０）。ユーザの設定によって、予め、被写体距離、焦点距離、Ｆナンバーのうちどの諸元を重視するが設定される。ユーザによって設定された重視する諸元についての情報は、記憶部５４に記憶されており、ＣＰＵ６０によって適宜読み出しが可能である。
【００６５】
ステップＳ４０において、ＣＰＵ６０が被写体距離を重視する設定であると判断した場合、ステップＳ４２の処理手順に進む。ＣＰＵ６０が被写体距離を重視する設定ではないと判断した場合、ステップＳ４４の処理手順に進む。
【００６６】
ステップＳ４２では、ＣＰＵ６０は、ステップＳ１４で抽出した候補レンズ装置に関する情報を、被写体距離を基準に再抽出し、抽出された候補レンズ装置に関する情報を表示する。その後、ステップＳ４０の手順に戻る。
【００６７】
ステップＳ４４において、ＣＰＵ６０は、焦点距離を重視する設定であるか否か判断する。そして、ＣＰＵ６０が焦点距離を重視する設定であると判断した場合、ステップＳ４６の処理手順に進む。ＣＰＵ６０が焦点距離を重視する設定ではないと判断した場合、ステップＳ５０の処理手順に進む。
【００６８】
ステップＳ４６では、ＣＰＵ６０は、ステップＳ１４で抽出した候補レンズ装置に関する情報を、焦点距離を基準に再抽出し、抽出された候補レンズ装置に関する情報を表示する。その後、ステップＳ４０の手順に戻る。
【００６９】
ステップＳ５０では、ＣＰＵ６０は、ステップＳ１４で抽出した候補レンズ装置に関する情報を、Ｆナンバーを基準に再抽出し、抽出された候補レンズ装置に関する情報を表示する。その後、ステップＳ４０の手順に戻る。
【００７０】
上述の手順によれば、ユーザは、接続されたレンズ装置１０Ａに対して、所望の諸元に基づく適性の高い候補レンズ装置を容易に選択することができる。
【００７１】
次に、本発明に係るレンズシステムの変形例について説明する。
【００７２】
レンズ選択支援装置５０は、接続部５２に接続ケーブル１２を介して接続されたレンズ装置１０Ａを、認識する構成に限定されない。例えば、入力部５８を用いてユーザが直接レンズ装置１０Ａの情報を入力した場合に、入力部５８の入力信号に応じてレンズ装置１０Ａを認識してもよい。
【００７３】
図６に示す処理手順では、焦点距離、被写体距離、Ｆナンバーの重複範囲の演算を行ったが、焦点距離、被写体距離、Ｆナンバーのうち少なくとも１つの重複範囲のみを演算し、表示部２４に表示してもよい。レンズ装置１０Ａは、ユーザの設定によって、どの諸元の重複範囲を表示させるか予め設定されていてもよい。
【００７４】
レンズ選択支援装置５０のＣＰＵ６０は、レンズ装置１０Ａの諸元として、焦点距離、被写体距離、Ｆ値だけでなく、Ｆドロップを使用し、これらの重複範囲を演算し、ユーザに通知してもよい。
【００７５】
図３に示すレンズ選択支援装置５０の構成において、ＣＰＵ６０が候補レンズ装置に関する情報を抽出する処理部を兼ねているが、ＣＰＵ６０とは別に処理部を設けてもよい。
【００７６】
または、レンズ選択支援装置５０のＣＰＵ６０は、レンズ装置１０Ａと候補レンズ装置の組み合わせを、履歴情報として記憶部に記憶させておいてもよい。履歴情報は、レンズ装置に基づいて以前に抽出された候補レンズ装置に関する情報を含む。こうすれば、ユーザは、レンズ選択支援装置５０にレンズ装置１０Ａを接続して適性の判断を１回行えば、レンズ装置１０Ａをレンズ選択支援装置５０に接続することなく、履歴情報を参照することで、レンズ装置１０Ａと候補レンズ装置との組み合わせの適性を確認することができる。
【００７７】
本明細書は次の事項を開示する。
（１）立体画像を撮影する立体カメラに装着される２つのレンズ装置を選択するためのレンズ選択支援装置であって、
レンズ装置を認識する認識手段と、
前記認識手段によって認識された前記レンズ装置と諸元が近い少なくとも１つ候補レンズ装置がある場合、前記候補レンズ装置に関する情報を抽出する処理部と、
前記処理部が前記候補レンズ装置に関する情報を抽出するときに参照する参照用データを記憶する記憶部と、
抽出された前記候補レンズ装置に関する情報を表示する表示手段と、を備えるレンズ選択支援装置。
（２）（１）に記載のレンズ選択支援装置であって、
前記処理部は、前記レンズ装置と前記候補レンズ装置との諸元の重複範囲を演算し、該諸元の重複範囲を前記表示手段に表示させるレンズ選択支援装置。
（３）（２）に記載のレンズ選択支援装置であって、
前記表示手段は、前記諸元の重複範囲をグラフで表示する表示部を含むレンズ選択支援装置。
（４）（１）から（３）のいずれか１つに記載のレンズ選択支援装置であって、
前記表示手段は、前記レンズ装置に基づいて以前に抽出された前記候補レンズ装置に関する情報を含む履歴情報を表示するレンズ選択支援装置。
（５）（１）から（４）のいずれか１つに記載のレンズ選択支援装置であって、
前記認識手段は、前記レンズ装置と通信可能に接続する接続部であるレンズ選択支援装置。
（６）（１）から（５）のいずれか１つに記載のレンズ選択支援装置であって、
前記認識手段は、ユーザが前記レンズ装置に関する情報を入力するための入力部であるレンズ選択支援装置。
（７）（１）から（６）のいずれか１つに記載のレンズ選択支援装置であって、
前記諸元は、被写体距離、焦点距離、Ｆ値の少なくとも１つを含むレンズ選択支援装置。
【符号の説明】
【００７８】
１０    立体カメラ用のレンズシステム
１０Ａ，１０Ｂ    レンズ装置
１２    接続ケーブル
５０    レンズ選択支援装置
５２    接続部
５４    記憶部
５６    表示部
５８    入力部
６０    （レンズ選択支援装置の）ＣＰＵ
【図１】
2012198333.tif 000003
【図２】
2012198333.tif 000004
【図３】
2012198333.tif 000005
【図４】
2012198333.tif 000006
【図５】
2012198333.tif 000007
【図６】
2012198333.tif 000008
【図７】
2012198333.tif 000009
【図８】
2012198333.tif 000010